(57)【特許請求の範囲】
【請求項１】
第１及び第２のストラップ取付穴と車載ホルダ用開口部とを背面ケースにそれぞれ有し、かつ前記第１のストラップ取付穴及び前記車載ホルダ用開口部は離れて位置する携帯無線電話機において、
前記車載ホルダ用開口部の側面に前記第１のストラップ取付穴を設けるとともに、前記第２のストラップ取付穴及び前記車載ホルダ用開口部が一体となって開口していることを特徴とする携帯無線電話機。
【請求項２】
請求項１に記載の携帯無線電話機において、
前記背面ケースの背面端部に第１のストラップ取付穴を有し、この背面に隣接する面で前記第１のストラップ取付穴に隣接する位置に前記車載ホルダ用開口部を設け、この車載ホルダ用開口部の底面中央部に前記第１のストラップ取付穴につながる第２のストラップ取付穴を設けたことを特徴とする携帯無線電話機。
【請求項３】
請求項１に記載の携帯無線電話機において、
前記背面ケースの背面端部に第１のストラップ取付穴を有し、この背面に隣接する面で前記第１のストラップ取付穴に隣接する位置に前記車載ホルダ用開口部を設け、この車載ホルダ用開口部の底面右端部又は左端部に前記第１のストラップ取付穴につながる第２のストラップ取付穴を設けたことを特徴とする携帯無線電話機。
【請求項４】
請求項２または３に記載の携帯無線電話機において、
前記背面に隣接する面は、自動車内で充電するために車載用ツメを嵌合する天面であることを特徴とする携帯無線電話機。
【発明の詳細な説明】
【０００１】
【発明の属する技術分野】
本発明は、携帯無線電話機に係り、より詳細には携帯無線電話機のストラップ取付穴構造に関する。
【０００２】
【従来の技術】
図３は従来の携帯無線電話機の背面側一部外観斜視図である。
図４は従来の携帯無線電話機の内部構造を示す図で、（Ａ）は背面ケースと金型スライドとの位置関係を、（Ｂ）は背面ケースの拡大部分斜視図を示している。
【０００３】
図３に示すように、従来の電話機１００では、背面１０１に第１ストラップ取付穴１０２が設けられ、側面１０５上端部には、第１ストラップ取付穴１０２につながる第２ストラップ取付穴１０９が設けられている。側面１０５には天面１０３が隣接しており、天面１０３には図示しない自動車内での充電に使用する車載ホルダ用開口部１０７が設けられている。
【０００４】
図４（Ａ）に示すように、第１ストラップ取付穴１０２及び第２ストラップ取付穴１０９を設けるためには図示しない製造過程において、側面１０５上端部に金型スライド１１１が使用される。同様に、車載ホルダ用開口部１０７を設けるため、側面１０５に隣接している天面１０３にも金型スライド１１３が使用される。
また、図４（Ｂ）に示すように、側面１０５には第１ストラップ取付穴１０２及び第２ストラップ取付穴１０９のためのハッチング部１１０が生じ、天面１０３にも車載ホルダ用開口部１０７のためのハッチング部１０８が生じる。
【０００５】
【発明が解決しようとする課題】
図４（Ａ）及び図４（Ｂ）に示すように、従来の電話機１００にはハッチング部が２箇所あり、内部構造で制約される部分の容積が大きいため電話機本体の小型化を困難にしていた。また、金型スライドが２方向必要であり、コストが高くなるという不具合もあった。本発明は、電話機１００の内部構造で制約される部分の容積を小さくし、コストを削減する携帯無線電話機を提供することを目的とする。
【０００６】
【課題を解決するための手段】
本発明は上記目的を達成するために、第１及び第２のストラップ取付穴と車載ホルダ用開口部とを背面ケースにそれぞれ有してかつ第１のストラップ取付穴及び車載ホルダ用開口部は離れて位置する携帯無線電話機であって、車載ホルダ用開口部の側面に第１のストラップ取付穴を設けるとともに、第２のストラップ取付穴及び車載ホルダ用開口部を一体となって開口しているものである。
ここで、背面ケースの背面端部に第１のストラップ取付穴を設け、この背面に隣接する面で第１のストラップ取付穴に隣接する位置に車載ホルダ用開口部を設け、この車載ホルダ用開口部の底面中央部に第１のストラップ取付穴につながる第２のストラップ取付穴を設けることが好ましい。また、第２のストラップ取付穴は、車載ホルダ用開口部の底面右端部又は左端部に設けてもよい。また、背面に隣接する面は、自動車内で充電するために車載用ツメを嵌合する天面であることが好ましい。
【０００７】
【発明の実施の形態】
次に、図１〜２を参照して本発明による携帯無線電話機のストラップ取付穴構造の実施の形態を詳細に説明する。
なお、図３、４と同一部分には同一符号を付し、その説明は省略する。
図１は本発明による携帯無線電話機のストラップ取付穴構造を採用した実施の形態を示す図で、（Ａ）は天面１０３の拡大部分斜視図を、（Ｂ）は図１（Ａ）のＢ−Ｂ’線で切断した部分の断面図をそれぞれ示している。
また、図２は本発明による携帯無線電話機のストラップ取付穴構造を採用した場合の電話機１００ａの内部構造を示す図であり、（Ａ）は背面ケースと金型スライドとの位置関係を、（Ｂ）は背面ケースの拡大部分斜視図を示している。
【０００８】
図１（Ａ）に示すように、本発明による携帯無線電話機のストラップ取付穴構造を採用した実施の形態は、天面１０３を備え、天面１０３に隣接する側面１０５及び背面１０１を備えている。また、天面１０３には車載ホルダ用開口部１０７ａを備えている。また、背面１０１には第１ストラップ取付穴１０２ａが備えられている。また車載ホルダ用開口部１０７ａの底面１０４には第２ストラップ取付穴１０９ａが設けられている。
また、自動車内で充電する場合は、車載ホルダ用開口部１０７ａに車載用ツメ１１５ａを嵌合する。車載用ツメ１１５ａには、ストラップひも１１７をよけるための切り欠き１１９ａが設けられている。
図１（Ｂ）に示すように、ストラップひも１１７を取付るため、第１ストラップ取付穴１０２ａ及び第２ストラップ取付穴１０９ａは、背面１０１から天面１０３に延在している。
【０００９】
また、図２（Ａ）に示すように、第１ストラップ取付穴１０２ａ、第２ストラップ取付穴１０９ａ及び車載ホルダ用開口部１０７ａを設けるための金型スライド１１３ａは１方向のみになる。
また、図２（Ｂ）に示すように、第１ストラップ取付穴１０２ａ、第２ストラップ取付穴１０９ａ及び車載ホルダ用開口部１０７ａのためのハッチング部１０８ａは１箇所のみとなる。
このように、本発明による携帯無線電話機のストラップ取付穴構造は、ストラップ取付穴と車載ホルダ用開口部を隣接させて設置できるように形成されている。
【００１０】
以上、本発明による携帯無線電話機のストラップ取付穴構造の実施の形態を詳細に説明したが、本発明は前述の実施の形態に限定されるものではなく、その要旨を逸脱しない範囲で変更可能である。
例えば、図５に示すように、第２ストラップ取付穴１０９ｂを車載ホルダ用開口部１０７ｂの底面右端に設けることも可能である。このとき、車載用ツメ１１５ｂはストラップひも１１７をよけるため、第２ストラップ取付穴１０９ｂの横幅と同じだけ、横幅が狭くなる。
【００１１】
【発明の効果】
このように本発明による携帯無線電話機のストラップ取付穴構造によれば、内部構造で制約される部分の容積を小さくし、金型スライドを一方向にしてコストを削減できる携帯無線電話機を提供することができる。
【図面の簡単な説明】
【図１】本発明による携帯無線電話機のストラップ取付穴構造を採用した第１の実施の形態を示す図である。（Ａ）は拡大部分斜視図。（Ｂ）は図１（Ａ）のＢ−Ｂ’線で切断した部分の断面図。
【図２】本発明による携帯無線電話機のストラップ取付穴構造を採用した場合の電話機１００ａの内部構造を示す図である。（Ａ）は背面ケースと金型スライドとの位置関係を示す図。（Ｂ）は背面ケースの拡大部分斜視図。
【図３】従来の電話機１００の背面側から見た一部外観斜視図。
【図４】従来の携帯無線電話機の内部構造を示す図である。（Ａ）は背面ケースと金型スライドとの位置関係を示した図。（Ｂ）は背面ケースの拡大部分斜視図。
【図５】本発明による携帯無線電話機のストラップ取付穴構造を採用した第２の実施の形態を示す図である。
【符号の説明】
１０１：背面
１０２，１０２ａ，１０２ｂ：第１ストラップ取付穴
１０４：車載ホルダ用開口部の底面
１０７，１０７ａ，１０７ｂ：車載ホルダ用開口部
１０９，１０９ａ，１０９ｂ：第２ストラップ取付穴
【図１】
0003661078.tif 000002
【図２】
0003661078.tif 000003
【図３】
0003661078.tif 000004
【図４】
0003661078.tif 000005
【図５】
0003661078.tif 000006